(57)【特許請求の範囲】
【請求項１】
システムであって、
増幅器と、
前記システムの計測基準（metric）を計測するためのデバイスと、
前記計測基準及びベースライン増幅器モデルに基いて、前記増幅器の入力・出力信号特性の現在の増幅器モデルを生成するためのプロセッサと、
前記現在の増幅器モデルに基づいて、前記増幅器についての入力信号をプレディストーションする（predistort）ためのプレディストーション（predistortion）デバイスと、
を備え、
前記計測基準は、前記増幅器の出力ＲＦ信号の、検出された電力特性に基づくものであり、
前記現在の増幅器モデル及び前記ベースライン増幅器モデルは、プロセッサ実行可能な一つまたはそれ以上の特性表示式（characteristic representative equations）によって表される
システム。
【請求項２】
前記計測基準を計測するデバイスは、前記増幅器の出力信号の平均電力または二乗平均平方根（ＲＭＳ：root mean square）電圧を計測する検出器を備えている請求項１のシステム。
【請求項３】
前記計測基準を計測するデバイスは、前記増幅器の出力信号のピーク電力またはピーク電圧を計測する検出器を備えている請求項１のシステム。
【請求項４】
前記計測基準を計測するデバイスは、前記増幅器の出力信号のＣＣＤＦに関係する出力計測基準のサンプルを提供する検出器を備えている請求項１のシステム。
【請求項５】
前記計測基準は、環境温度、前記増幅器の電源電圧、または前記増幅器によって処理される信号の周波数を含む請求項１のシステム。
【請求項６】
前記プロセッサは、前記増幅器の前記入力・出力信号特性のベースライン、または予め決められたモデルに基づいて、前記現在のモデルを生成する請求項１のシステム。
【請求項７】
前記プロセッサは、前記増幅器の前記入力・出力信号特性の以前の（previous）モデルに基づいて、前記現在のモデルを生成する請求項１のシステム。
【請求項８】
前記プレディストーション・デバイスは、前記増幅器について、目標（target）または指定（specified）出力信号を得るために、前記入力信号をプレディストーションする請求項１のシステム。
【請求項９】
前記プレディストーション・デバイスは、前記増幅器の出力信号の歪みを減らすために、前記入力信号をプレディストーションする請求項１のシステム。
【請求項１０】
前記プレディストーション・デバイスは、更に、前記増幅器の出力信号の平均電力またはＲＭＳ電圧に基づいて、前記入力信号をプレディストーションする請求項１のシステム。
【請求項１１】
前記プロセッサは、前記増幅器への入力電圧の計測（measurement）または推定（estimate）に基づいて、前記現在のモデルを生成する請求項１のシステム。
【請求項１２】
前記プロセッサは、前記計測基準に基づいて、前記増幅器の前記入力・出力信号特性の以前のモデルを修正することによって、前記現在のモデルを生成する請求項１のシステム。
【請求項１３】
前記プロセッサは、下記の式を実質的に用いて前記増幅器の現在の低電力利得Ｇｌｐｉを決定し、
【数１】
0005456780.tif 000020
ここでｉは前記現在の増幅器モデルを決定する現在の繰返し（iteration）であり、Ｇｌｐ（ｉ−１）は以前の増幅器モデルを決定する、以前の繰返しに関する低電力利得であり、Ｖｏｉ．ｍｅａｓ．ｒｍｓは、前記増幅器の出力信号の計測ＲＭＳ電圧（measured RMS voltage）であり、Ｖｏｉ．ｅｓｔ．ｒｍｓは、前記増幅器の前記出力信号の推定ＲＭＳ電圧（estimate RMS voltage）である
請求項１のシステム。
【請求項１４】
前記プロセッサは、下記の式を実質的に用いて前記増幅器の現在の飽和電圧Ｖｏｓａｔｉを決定し、
【数２】
0005456780.tif 000021
ここでｉは前記現在の増幅器モデルを決定する現在の繰返しであり、Ｖｏｓａｔ（ｉ−１）は以前の増幅器モデルを決定する、以前の繰返しに関する飽和（saturated）電圧であり、Ｖｏｉ．ｍｅａｓ．ｐｅａｋは、前記増幅器の出力信号の計測ピーク電圧であり、Ｖｏｉ．ｅｓｔ．ｐｅａｋは、前記増幅器の前記出力信号の推定ピーク電圧である
請求項１のシステム。
【請求項１５】
前記プロセッサは、下記の式を実質的に用いて前記現在の増幅器モデルの入力振幅特性Ｖｉｔ（ｋ）ｉを決定し、
【数３】
0005456780.tif 000022
ここでｉは前記現在の増幅器モデルを決定する現在の繰返しであり、Ｖｉｔ（ｋ）（ｉ−１）は以前の増幅器モデルに関する入力振幅特性であり、Ｖｏｓａｔｉは、前記現在の増幅器モデルを決定する前記現在の繰返しに関する飽和（saturated）であり、Ｖｏｓａｔ（ｉ−１）は、以前の増幅器モデルを決定する、以前の繰返しに関する飽和電圧であり、Ｇｌｐｉは前記現在の増幅器モデルを決定する前記現在の繰返しに関する低電力利得であり、Ｇｌｐ（ｉ−１）は前記以前の増幅器モデルを決定する前記以前の繰返しに関する低電力利得である
請求項１のシステム。
【請求項１６】
前記プロセッサは、式を実質的に用いて前記現在の増幅器モデルの出力振幅特性Ｖｏｔ（ｋ）ｉを決定し、
【数４】
0005456780.tif 000023
ここでｉは前記現在の増幅器モデルを決定する現在の繰返しであり、Ｖｏｔ（ｋ）（ｉ−１）は以前の増幅器モデルに関する出力振幅特性であり、Ｖｉｔ（ｋ）ｉは前記現在の増幅器モデルを決定する前記現在の繰返しに関する入力振幅特性であり、Ｖｉｔ（ｋ）（ｉ−１）は前記以前の増幅器モデルを決定する、前記以前の繰返しに関する入力振幅特性であり、Ｇｌｐｉは前記現在の増幅器モデルを決定する前記現在の繰返しに関する低電力利得であり、Ｇｌｐ（ｉ−１）は前記以前の増幅器モデルを決定する、前記以前の繰返しに関する低電力利得である
請求項１のシステム。
【請求項１７】
前記プロセッサは、前記増幅器の出力信号の確率分布関数（probability distribution function）の一つまたはそれ以上の点を決定する請求項１のシステム。
【請求項１８】
前記確率分布関数は、累積分布補関数（complimentary cumulative distribution function：ＣＣＤＦ）を備えている請求項１７のシステム。
【請求項１９】
増幅器を備えているシステムの計測基準（metric）を計測することと、
前記計測基準及びベースライン増幅器モデルに基づいて、前記増幅器の入力・出力信号特性の現在の増幅器モデルを生成することと、
前記現在の増幅器モデルに基づいて、前記増幅器についての入力信号をプレディストーションすることと（predistorting）、
を備え、
前記計測基準は、前記増幅器の出力ＲＦ信号の検出された電力特性に基づき、
前記現在の増幅器モデル及び前記ベースライン増幅器モデルは、一つまたはそれ以上のそれぞれのプロセッサ実行可能な特性表示式（characteristic representative equations）によって表される方法。
【請求項２０】
前記計測基準は、前記増幅器の出力信号の平均電力または二乗平均平方根（ＲＭＳ）電圧を備えている請求項１９の方法。
【請求項２１】
前記計測基準は、前記増幅器の出力信号のピーク電力またはピーク電圧を備えている請求項１９の方法。
【請求項２２】
前記計測基準は、前記増幅器の出力信号の複数のサンプルを備えている請求項１９の方法。
【請求項２３】
前記計測基準は、環境温度、前記増幅器の電源電圧、または前記増幅器によって処理される信号の周波数を備えている請求項１９の方法。
【請求項２４】
前記現在の増幅器モデルは、前記増幅器の前記入力・出力信号特性のベースラインまたは予め決められたモデルに基づく請求項１９の方法。
【請求項２５】
前記現在の増幅器モデルは、前記増幅器の前記入力・出力信号特性の以前のモデルに基づく請求項１９の方法。
【請求項２６】
前記入力信号をプレディストーションすることは、前記増幅器の目標または指定出力信号を得るために、前記入力信号をプレディストーションすることを備える請求項１９の方法。
【請求項２７】
前記入力信号をプレディストーションすることは、前記出力信号の歪みを減らすために、前記入力信号をプレディストーションさすることを備える請求項１９の方法。
【請求項２８】
前記入力信号をプレディストーションすることは、前記増幅器の出力信号の前記平均電力またはＲＭＳ電圧の計測に基づいて、前記入力信号をプレディストーションすることを備える請求項１９の方法。
【請求項２９】
前記現在のモデルを生成することは、更に、前記増幅器への入力電圧の計測または推定に基づく請求項１９の方法。
【請求項３０】
前記現在のモデルを生成することは、前記計測基準に基づいて、以前の増幅器モデルの入力・出力信号特性を修正することを備える請求項１９の方法。
【請求項３１】
前記現在の増幅器モデルを生成することは、
積を生成するために、以前の増幅器モデルを決定する、以前の繰返しに関する低電力利得Ｇｌｐ（ｉ−１）を、前記増幅器の出力信号の計測ＲＭＳ電圧Ｖｏｉ．ｍｅａｓ．ｒｍｓで掛けることと、
前記積を、前記増幅器の前記出力信号の推定ＲＭＳ電圧Ｖｏｉ．ｅｓｔ．ｒｍｓで割ることと、
によって前記増幅器の現在の低電力利得Ｇｌｐｉを決定することを備える請求項１９の方法。
【請求項３２】
前記現在の増幅器モデルを生成することは、
積を生成するために、以前の増幅器モデルを決定する、以前の繰返しに関する飽和電圧Ｖｏｓａｔ（ｉ−１）を、前記増幅器の出力信号の計測ピーク電圧Ｖｏｉ．ｍｅａｓ．ｐｅａｋで掛けることと、
前記積を、前記増幅器の前記出力信号の推定ピーク電圧Ｖｏｉ．ｅｓｔ．ｐｅａｋで割ることと、
によって前記増幅器の現在の飽和電圧Ｖｏｓａｔｉを決定することを備える請求項１９の方法。
【請求項３３】
前記現在の増幅器モデルを生成することは、
第１の商を生成するために、前記現在の増幅器モデルを決定する現在の繰返しに関する飽和電圧Ｖｏｓａｔｉを、前記現在の増幅器モデルを決定する前記現在の繰返しに関する低電力利得Ｇｌｐｉで割ることと、
第２の商を生成するために、以前の増幅器モデルを決定する、以前の繰返しに関する飽和電圧Ｖｏｓａｔ（ｉ−１）を、前記以前の増幅器モデルを決定する、前記以前の繰返しに関する低電力利得Ｇｌｐ（ｉ−１）で、割ることと、
第３の商を生成するために、前記第１の商を、前記第２の商で割ることと、
前記第３の商を、前記以前の増幅器モデルに関する入力振幅特性Ｖｉｔ（ｋ）（ｉ−１）で掛けることと、
によって前記現在の増幅器モデルの入力振幅特性Ｖｉｔ（ｋ）ｉを決定することを備える請求項１９の方法。
【請求項３４】
前記現在の増幅器モデルを生成することは、
第１の商を生成するために、前記現在の増幅器モデルを決定する現在の繰返しに関する低電力利得Ｇｌｐｉを、以前の増幅器モデルを決定する、以前の繰返しに関する低電力利得Ｇｉｐ（ｉ−１）で割ることと、
第２の商を生成するために、前記現在の増幅器モデルを決定する前記現在の繰返しに関する入力振幅特性Ｖｉｔ（ｋ）ｉを、前記以前の増幅器モデルを決定する前記以前の繰返しに関する入力振幅特性Ｖｉｔ（ｋ）（ｉ−１）で割ることと
積を生成するために、前記第１の商を、前記第２の商で掛けることと、
前記積を、前記以前の増幅器モデルに関する出力振幅特性Ｖｏｔ（ｋ）（ｉ−１）で掛けることと
によって前記現在の増幅器モデルの出力振幅特性Ｖｏｔ（ｋ）ｉを決定することを備える請求項１９の方法。
【請求項３５】
前記現在の増幅器モデルを生成することは、前記増幅器の出力信号の確率分布関数の一つまたはそれ以上の点を決定することを備える請求項１９の方法。
【請求項３６】
前記確率分布関数は、累積分布補関数（complimentary cumulative distribution function：ＣＣＤＦ）を備えている請求項３５の方法。
【請求項３７】
増幅器を備えているシステムの計測基準を計測する手段と、
前記計測基準及びベースライン増幅器モデルに基づいて、前記増幅器の入力・出力信号特性の現在の増幅器モデルを生成する手段と、
前記現在の増幅器モデルに基づいて、前記増幅器についての前記入力信号をプレディストーションする手段と、
を備え、
前記計測基準は、前記増幅器の出力ＲＦ信号の検出された電力特性に基づき、
前記現在の増幅器モデル及び前記ベースライン増幅器モデルは、一つまたはそれ以上のそれぞれのプロセッサ実行可能な特性表示式（characteristic representative equations）によって表される装置。
【請求項３８】
前記計測基準計測手段は、前記増幅器の出力の平均電力または二乗平均平方根（ＲＭＳ）電圧を計測する検出器を備える請求項３７の装置。
【請求項３９】
前記計測基準計測手段は、前記増幅器の出力信号のピーク電力またはピーク電圧を計測する検出器を備える請求項３７の装置。
【請求項４０】
前記計測基準計測手段は、前記増幅器の出力信号のＣＣＤＦに関する出力計測基準のサンプルを提供する検出器を備える請求項３７の装置。
【請求項４１】
前記計測基準は、環境温度、前記増幅器の電源電圧、または前記増幅器によって処理される信号の周波数を備えている請求項３７の装置。
【請求項４２】
前記現在の増幅器モデルは、前記増幅器の前記入力・出力信号特性のベースライン、または予め決められたモデルに基づく請求項３７の装置。
【請求項４３】
前記現在の増幅器モデルは、前記増幅器の前記入力・出力信号特性の以前のモデルに基づく請求項３７の装置。
【請求項４４】
前記プレディストーションする手段は、前記増幅器の目標または指定出力信号を得るために、前記入力信号をプレディストーションする請求項３７の装置。
【請求項４５】
前記プレディストーションする手段は、前記増幅器の出力信号の歪みを減らすために、前記入力信号をプレディストーションする請求項３７の装置。
【請求項４６】
前記プレディストーションする手段は、前記増幅器の出力信号の前記平均電力またはＲＭＳ電圧の計測に基づいて、前記入力信号をプレディストーションする請求項３７の装置。
【請求項４７】
前記現在のモデルを生成する手段は、前記増幅器への入力電圧の計測または推定に基づいて、前記増幅器の前記入力・出力信号特性の前記現在のモデルを生成する請求項３７の装置。
【請求項４８】
前記現在のモデルを生成する手段は、前記計測基準に基づいて以前のモデルの入力・出力信号特性を修正することによって、前記現在のモデルを生成する請求項３７の装置。
【請求項４９】
前記現在のモデルを生成する手段は、下記の式を実質的に用いて前記増幅器の現在の低電力利得Ｇｌｐｉを決定し、
【数５】
0005456780.tif 000024
ここでｉは前記現在の増幅器モデルを決定する現在の繰返しであり、Ｇｌｐ（ｉ−１）は以前の増幅器モデルを決定する以前の繰返しに関する低電力利得であり、Ｖｏｉ．ｍｅａｓ．ｒｍｓは、前記増幅器の出力信号の計測ＲＭＳ電圧であり、Ｖｏｉ．ｅｓｔ．ｒｍｓは、前記増幅器の前記出力信号の推定ＲＭＳ電圧である
請求項３７の装置。
【請求項５０】
前記現在のモデルを生成する手段は、下記の式を実質的に用いて前記増幅器の現在の飽和電圧Ｖｏｓａｔｉを決定し、
【数６】
0005456780.tif 000025
ここでｉは前記現在の増幅器モデルを決定する現在の繰返しであり、Ｖｏｓａｔ（ｉ−１）は以前の増幅器モデルを決定する、以前の繰返しに関する飽和電圧であり、Ｖｏｉ．ｍｅａｓ．ｐｅａｋは、前記増幅器の出力信号の計測ピーク電圧であり、Ｖｏｉ．ｅｓｔ．ｐｅａｋは、前記増幅器の前記出力信号の推定ピーク電圧である
請求項３７の装置。
【請求項５１】
前記現在のモデルを生成する手段は、下記の式を実質的に用いて前記現在の増幅器モデルの入力振幅特性Ｖｉｔ（ｋ）ｉを決定し、
【数７】
0005456780.tif 000026
ここでｉは前記現在の増幅器モデルを決定する現在の繰返しであり、Ｖｉｔ（ｋ）（ｉ−１）は以前の増幅器モデルに関する入力振幅特性であり、Ｖｏｓａｔｉは、前記現在の増幅器モデルを決定する前記現在の繰返しに関する飽和であり、Ｖｏｓａｔ（ｉ−１）は、以前の増幅器モデルを決定する、以前の繰返しに関する飽和電圧であり、Ｇｌｐｉは前記現在の増幅器モデルを決定する前記現在の繰返しに関する低電力利得であり、Ｇｌｐ（ｉ−１）は前記以前の増幅器モデルを決定する前記以前の繰返しに関する低電力利得である
請求項３７の装置。
【請求項５２】
前記現在のモデルを生成する手段は、下記の式を実質的に用いて前記現在の増幅器モデルの出力振幅特性Ｖｏｔ（ｋ）ｉを決定し、
【数８】
0005456780.tif 000027
ここでｉは前記現在の増幅器モデルを決定する現在の繰返しであり、Ｖｏｔ（ｋ）（ｉ−１）は以前の増幅器モデルに関する出力振幅特性であり、Ｖｉｔ（ｋ）ｉは前記現在の増幅器モデルを決定する前記現在の繰返しに関する入力振幅特性であり、Ｖｉｔ（ｋ）（ｉ−１）は前記以前の増幅器モデルを決定する前記以前の繰返しに関する入力振幅特性であり、Ｇｌｐｉは前記現在の増幅器モデルを決定する前記現在の繰返しに関する低電力利得であり、Ｇｌｐ（ｉ−１）は前記以前の増幅器モデルを決定する前記以前の繰返しに関する低電力利得である
請求項３７の装置。
【請求項５３】
前記現在のモデルを生成する手段は、前記増幅器の出力信号の確率分布関数の一つまたはそれ以上の点を決定する請求項３７の装置。
【請求項５４】
前記確率分布関数は、累積分布補関数（complimentary cumulative distribution function：ＣＣＤＦ）を備えている請求項５３の装置。
【発明の詳細な説明】
【技術分野】
【０００１】
本開示は、概して無線周波数（ＲＦ）電力増幅器に関する。より具体的には、本開示は、ＲＦ電力増幅器の出力から、平均電力、または二乗平均平方根（ＲＭＳ：root mean square）電圧、及びピーク電力または電圧のようなシステムの計測基準（metrics）に基づいて、複雑な変調波形（complex modulated waveform）のアダプティブ・デジタル・プレディストーション（ＤＰＤ：digital predistortion（デジタル先行歪みと呼んでも良い））を実行することのシステム及び方法に関する。
【背景技術】
【０００２】
ワイヤレス通信フィールドにおいて、与えられたバンド幅内でより多くのデータを伝送することができ、同時に、バッテリ電力を保存するために、適切な、または最適な電力効率を得ることができるデバイスについて、一般的な要求（need）がある。例えば、ワイヤレス・デバイスは、与えられたバンド幅内のデータ・スループットを上昇させるために、１６、３２、または６４のコンスタレーション（constellations）を有している直角位相振幅変調（ＱＡＭ：quadrature amplitude modulation）のような種々の変調案（modulation scheme）を用いてデザインされている。更に、ワイヤレス・デバイスはまた、電力消費能力を改善するために、クラスＡ／Ｂ、Ｂ、Ｃのような、電力増幅器の飽和領域に近接して動作される電力増幅器、及び他のクラス増幅器を用いてデザインされている。
【０００３】
データ送信の比較的高いスペクトルの能力のせいで、そのようなワイヤレス・デバイスは、許容されるスペクトル漏れに関して、しばしば厳しい（tight）要求を有する。いくつかのケースにおいて、増幅器の非線形性特性が重大なスペクトル再成長（spectral re-growth）及びバンド内歪み（in-band distortion）を引き起こすので、これらの要求は、電力増幅器の飽和領域の近くで電力増幅器を動作させることについての問題を表す。一つの解決策は、この歪みを減少または防ぐように、増幅器の動作を、その線形領域内に戻す（backoff）ことである。しかしながら、デバイスの電力効率が減少するという結果となり、これにより、デバイスの連続使用及びバッテリ寿命に悪影響を及ぼす。
【０００４】
他の解決策は、電力増幅器の飽和領域、または非線形領域の近くで電力増幅器を動作することであり、増幅器の非線形性によって引き起こされる出力信号の歪みを補正または減少できるように、入力信号を歪ませるために、増幅器の入力でプレディストーション・デバイスを用いることである。一般的に、開ループ（open loop）アプローチ、及び閉ループ（closed loop）アプローチの二つのアプローチがある。開ループ・アプローチは、増幅器の非線形特性が正確にモデルされ、環境条件と共に著しく経時変化しない限り、典型的にうまく動作する。閉ループ・アプローチは、プレディストーション・デバイスが、「実時間（real time）」において電力増幅器の非線形特性をモデルする（model）ことができ、増幅器の現在のモデル（present model）に従って、入力信号のプレディストーションを調整することができるように、プレディストーション・デバイスに適応（adaptation）を提供することを含んでいる。しかしながら、しばしばこれらの適応技術は、後述するように、複雑にされ、そして費用がかかる。
【０００５】
図１は、電力増幅器によって引き起こされる出力信号の歪みについて補正するために入力信号のプレディストーションを適応する目的で、出力信号についての情報を提供するために、復調技術を用いる典型的な閉ループ送信システム１００のブロック・ダイアグラムを示している。具体的には、送信システム１００は、デジタル・プレディストーション（ＤＰＤ）デバイス１０２、デジタル・アナログ変換器（ＤＡＣ：digital-to-analog converter）１０４、オート・ゲイン・コントロール（ＡＧＣ：automatic gain control）１０６、アップ・コンバート・ミキサ（up converting mixer）１０８、及び電力増幅器１１０を含んでいる。送信システム１００は、電力スプリッタ（power splitter）１１２、ミキサ１１４、及び１１６の組、オシレータ１２０、９０度位相シフタ１１８、フィルタ１２２、及び１２４の組を含んでいる復調部を更に有している。
【０００６】
ＤＰＤデバイス１０２は、電力増幅器１１０の出力において、目標（target）信号を得る（achieve）目的で、復調部から受信された信号に基づいて、入力ベースバンドまたは中間周波数（ＩＦ：intermediate frequency）デジタル信号をプレディストーションする（predistort：先行して歪ませる）。ＤＡＣ１０４は、ＤＰＤデバイス１０２からのプレディストーションされたデジタル信号を、アナログ信号に変換する。ＡＧＣ１０６は、電力増幅器１１０の出力における信号についての目標電力レベルを得る目的で、アナログ信号を動的に増幅または減少させる。アップ・コンバータ・ミキサ１０８は、ベースバンド、またはＩＦアナログ信号を、無線周波数（ＲＦ）信号にアップ・コンバートするために、ローカル・オシレータ（Ｌ．Ｏ．：local oscillator）を用いる。電力増幅器１１０は、出力ＲＦ信号を生成するためにＲＦ信号を増幅させる。
【０００７】
復調部は、トランスミッタ１００についての目標ＲＦ出力信号を得るために、入力デジタル信号をプレディストーションする際にＤＰＤデバイス１０２での使用するため、出力ＲＦ信号のサンプル部（sampled portion）を、Ｉ／ＱＩＦまたはベースバンド信号に変換する。電力スプリッタ１１２は、復調部のＩ及びＱ部で処理するために、サンプル出力（sampled output）ＲＦ信号を、二つの成分に分割する。サンプル出力ＲＦ信号（sampled output RF signal）をＩ成分のＩＦまたはベースバンド信号にダウン・コンバートするために、ミキサ１１４は、オシレータ１２０からの信号を用いる。フィルタ１２２は、高次周波数成分（high order frequency component）を、Ｉ信号から取り除く。同様に、サンプル出力ＲＦ信号をＱ成分のＩＦまたはベースバンド信号にダウン・コンバートするために、ミキサ１１６は、位相シフタ１１８によって９０度だけ位相をシフトされたオシレータ１２０からの信号を用いる。フィルタ１２４は、高次周波数成分を、Ｉ信号から取り除く。
【０００８】
該復調アプローチには、多くの欠点がある。例えば、この回路は非常に複雑であり、目標とする出力信号を得るために入力デジタル信号をプレディストーションする（predistorting）際にＤＰＤデバイスで用いるために、Ｉ及びＱ−ＩＦまたはベースバンド信号を生成する復調部を必要とする。その複雑性は、適切に動作するために、システムについての入力信号でＩ及びＱ信号が時間調整されるべきであるという事実によって更に明らかにされる。更に、Ｉ及びＱ復調は、振幅ドメイン（amplitude domain）及び位相ドメイン（phase domain）の両方において、一般的にプレディストーションを要求する。大抵、入力信号のプレディストーションすること（predistorting）が、振幅及び周波数ドメインの両方で生じる際に、より高い分解能のＤＡＣが要求される。
【図面の簡単な説明】
【０００９】
【図１】図１は、電力増幅器によって生じる出力信号の歪みを補正するために、入力信号のプレディストーションを適用する目的で、出力信号についての情報を提供するために、復調技術を用いる典型的な閉ループ送信システムのブロック・ダイアグラムを示している。
【図２】図２は、本開示の例示的な実施形態に従って、アダプティブ・プレディストーション・デバイスと共に電力増幅器を含んでいる送信システム例のブロック・ダイアグラムを示している。
【図３Ａ】図３Ａは、本開示の他の例示的な実施形態に従って、目標とする出力信号を得るために、入力信号をプレディストーションするために、増幅器モデルを適応すること、及び適応増幅器モデルを用いることの方法例のフロー・ダイアグラムを示している。
【図３Ｂ】図３Ｂは、本開示の他の例示的な実施形態に従って、現在の増幅器モデルの現在の低電力利得Ｇｌｐｉを決定することの方法例のフロー・ダイアグラムを示している。
【図３Ｃ】図３Ｃは、本開示の他の例示的な実施形態に従って、現在の増幅器モデルの現在の飽和電圧Ｖｏｓａｔｉを決定することの方法例のフロー・ダイアグラムを示している。
【図３Ｄ】図３Ｄは、本開示の他の例示的な実施形態に従って、現在の増幅器モデルの入力振幅特性Ｖｉｔ（ｋ）ｉを決定することの方法例のフロー・ダイアグラムを示している。
【図３Ｅ】図３Ｅは、本開示の他の例示的な実施形態に従って、現在の増幅器モデルの出力振幅特性Ｖｏｔ（ｋ）ｉを決定することの方法例のフロー・ダイアグラムを示している。
【図４】図４は、本開示の他の例示的な実施形態に従って、ベースライン増幅器モデル例、低電力利得がより高く調整された適応増幅器モデル（exemplary adapted amplifier model）、及び低電力利得がより低く調整された適応増幅器モデル例に関する電力増幅器の利得応答例のグラフを示している。
【図５】図５は、本開示の他の例示的な実施形態に従って、ベースライン増幅器モデル例、飽和電圧がより高く調整された適応増幅器モデル例、及び飽和電圧がより低く調整された適応増幅器モデル例に関する電力増幅器の利得応答例のグラフを示している。
【図６Ａ】図６Ａは、本開示の他の例示的な実施形態に従って、例示的な電力増幅器、プレディストーション・デバイス、及び送信システムについての、規格化された出力、入力電圧応答例のグラフを示している。
【図６Ｂ】図６Ｂは、本開示の他の例示的な実施形態に従って、例示的な電力増幅器、プレディストーション・デバイス、及び送信システムについての、規格化された出力、入力電圧応答例のグラフを示している。
【図６Ｃ】図６Ｃは、本開示の他の例示的な実施形態に従って、例示的な電力増幅器、プレディストーション・デバイス、及び送信システムについての、規格化された出力、入力電圧応答例のグラフを示している。
【図７】図７は、本開示の他の例示的な実施形態に従って、電力増幅器の入力、出力、及び目標出力についての例示的なピーク平均（peak-to-average）電力比対出力電力のグラフを示している。
【図８Ａ】図８Ａは、本発明の他の例示的な実施形態に従って、歪まない、または最初の入力及び歪まされた出力信号例の時間ドメイン（time-domain）グラフを示している。
【図８Ｂ】図８Ｂは、本発明の他の例示的な実施形態に従って、プレディストーションされた入力及び歪んだ出力信号例の時間ドメイン（time-domain）グラフを示している。
【図９】図９は、本開示の他の例示的な実施形態に従った、アダプティブ・プレディストーション・デバイスとともに電力増幅器を含んでいる他の例示的な送信システムのブロック・ダイアグラムを示している。
【図１０】図１０は、本開示の他の例示的な実施形態に従って、電力増幅器の出力信号についての例示的な累積分布補関数（complimentary cumulative distribution function：ＣＣＤＦ＝１−ＣＤＦ）のグラフを示している。
【図１１】図１１は、本開示の他の例示的な実施形態に従った、アダプティブ・プレディストーション・デバイスとともに電力増幅器を含んでいる更に他の例示的な送信システムのブロック・ダイアグラムを示している。
【図１２】図１２は、本開示の他の例示的な実施形態に従った、アダプティブ・プレディストーション・デバイスとともに電力増幅器を含んでいる、また更に他の例示的な送信システムのブロック・ダイアグラムを示している。
【発明を実施するための形態】
【００１０】
単語「例」は、例、事例、または実例として役目を果たすことを意味するために、本明細書で用いられている。「例」として本明細書に記載の任意の実施形態は、他の実施形態と比較して、好ましい、または有利として解釈される必要がない。
【００１１】
詳細な記載は、本発明の例示的な実施形態の記載のように意図され、本発明が実行されることができる唯一の実施形態を表すことを意図されない、添付された図面と関連して下に示す。本明細書の全体に渡って用いられる用語「例」は、例、事例、または実例として役目を果たすことを意味し、他の実施形態と比較して、好ましい、または有利として解釈される必要がない。詳細な記載は、本発明の例示的な実施形態の全体に渡る理解を提供する目的のため、特定の詳細を含んでいる。発明の例示的な実施形態が、これらの特定の詳細なしに実行され得るということは、当業者に明白になる。いくつかの事例において、よく知られた構造及びデバイスは、本明細書で提示された例示的な実施形態の新規性を不透明にすることを避ける目的で、ブロック・ダイアグラム形式で示される。
【００１２】
図２は、本開示の例示的な実施形態に従って、電力増幅器、アダプティブ増幅器モデリング・デバイス（adaptive amplifier modeling device）、及びプレディストーション・デバイスを含む例示的な送信システム２００のブロック・ダイアグラムを示している。要約すれば、送信システム２００は、電力増幅器によって生成される出力信号の平均電力または二乗平均平方根（ＲＭＳ）電圧、及びピーク電力またはピーク電圧を計測し、ベースライン、または予め決められた増幅器モデルから、電力増幅器の入力・出力（input-output）信号特性のモデルを確立する（build）ために、これらの入力を用いる。送信システム２００は、電力増幅器について、目標出力信号を得るために、適応増幅器モデルに基づいて、入力信号を修正する（modifies）プレディストーション・デバイスを更に含んでいる。
【００１３】
具体的には、送信システム２００は、プレディストーション・デバイス２０２、オート・ゲイン・コントロール（ＡＧＣ）デバイス２０４、電力増幅器２０６、プロセッサ２０８、ピーク電力または電圧検出器２１０、及び平均電力またはＲＭＳ電圧検出器２１２を含んでいる。下でより詳細に議論するように、プレディストーション・デバイス２０２は、例えば電力増幅器２０６を含んでいるトランスミッタ２００の非線形特性による出力信号の歪みを修正または減少するために、電力増幅器２０６についての目標出力ＲＦ信号を得るために、入力ＲＦ信号を歪ませる。プレディストーション・デバイス２０２は、プロセッサ２０８によって作成された電力増幅器２０６の適応増幅器モデルＭに基づいて、入力ＲＦ信号を歪ませる。
【００１４】
オート・ゲイン・コントロール（ＡＧＣ）デバイス２０４は、ＲＭＳ検出器２１２によって表されるような、出力ＲＦ信号の計測（measured）平均電力またはＲＭＳ電圧に応じて、プレディストーション・デバイス２０２によって生成されたプレディストーションされたＲＦ信号の電力レベルを修正する。ＡＧＣデバイス２０４の目的の一つは、出力ＲＦ信号の電力レベルを制御することである。電力増幅器２０６は、出力ＲＦ信号Ｖｏを生成するために、ＡＧＣデバイス２０４の出力からのＲＦ信号を増幅する。以前に議論したように、電力増幅器２０６は、送信システム２００の電力効率を改善するために、電力増幅器２０６の非線形または飽和領域近くにおいて動作され得る。結果として、電力増幅器２０６の非線形特性は、出力ＲＦ信号を歪ませ、それは、プレディストーション・デバイス２０２によって供給された入力ＲＦ信号をプレディストーションすることによって、修正、または減少される。
【００１５】
下により詳細に記載されるように、プロセッサ２０８は、電力増幅器２０６の現在の入力・出力（input-output）信号特性の増幅器モデルＭを確立する。プロセッサ２０８は、電力増幅器２０６の計測(measured)、または推定（estimated）入力信号Ｖｉ、ピーク検出器２１０によって表されるような出力ＲＦ信号の計測ピーク電力または電圧Ｖｏｍｅａｓ．ｐｅａｋ、ＲＭＳ検出器２１２によって表されるような出力ＲＦ信号の計測平均電力またはＲＭＳ電圧Ｖｏｍｅａｓ．ｒｍｓ、及びベースライン、または予め決められた増幅器モデルからモデルを生成する。プロセッサ２０８は、適応増幅器モデルＭを、目標または指定（specified）出力ＲＦ信号を得る為に、入力ＲＦ信号をプレディストーションする目的で、そのモデルを使用するプレディストーション・デバイス２０２に送信する。下記は、プロセッサ２０８によって実行される増幅器モデルの追加の手段、プレディストーション・デバイス２０２によって実行される入力信号をプレディストーションすることの手段を更に詳細に記載している。
【００１６】
図３Ａは、本開示の他の例示的な実施形態に従って、目標出力信号を得るために、入力信号をプレディストーションするために、増幅器モデルを適応し、適応増幅器モデルを用いる例示的な方法３００のフロー・ダイアグラムを示している。本明細書に記載の任意のコンセプトにおいて、動作の順序は例示的であり、実質的に同様の結果を得ることができる任意の順序が用いられることができる。方法３００に従って、プロセッサ２０８は、電力増幅器２０６についてのベースライン、または予め決められた増幅器モデルにアクセスする（ブロック３０２）。ベースライン増幅器モデルは、いくつかの動作範囲（例えば、温度、電源電圧、周波数等）上で、一つまたはそれ以上の同様の電力増幅器をテストすることによって生成され得る。予め決められた増幅器モデルは、同様のタイプの増幅器のサンプル・セットの能力（performance）特性の中央値または平均であり得る。好ましくは、このモデルは、予め決められたモデル、及び増幅器２０６の実際の能力（actual performance）、または他のテスト、及び／または観測に基づく他の適切なモデル間のエラーを実質的に最小限にすべきである。
【００１７】
送信システム２００の通常動作の間、プロセッサ２０８は、ｎ個のサンプルのシーケンス（sequence）について、ピーク検出器２１０によって表されるような電力増幅器１０６の出力ＲＦ信号のピーク電力または電圧Ｖｏｍｅａｓ．ｐｅａｋを計測または推定する（ブロック３０４）。プロセッサ２０８はまた、ｎ個のサンプルのシーケンスについて、ＲＭＳ検出器２１２によって表されるような電力増幅器２０６の出力ＲＦ信号の平均電力またはＲＭＳピーク電圧Ｖｏｍｅａｓ．ｒｍｓを計測または推定する（ブロック３０６）。更に、プロセッサ２０８は、ｎ個のサンプルのシーケンスについて、入力電圧Ｖｉ（電力増幅器２０６の入力におけるＲＦ信号）を計測または推定する（ブロック３０８）。
【００１８】
例えば、計測ピーク電圧Ｖｏｍｅａｓ．ｐｅａｋ、計測ＲＭＳ電圧Ｖｏｍｅａｓ．ｒｍｓ、及び計測、または推定入力電圧Ｖｉのような、これらの三つの入力に基づいて、プロセッサ２０８は、増幅器モデルが電力増幅器２０６の実際の能力をより良く反映するように、ベースライン、または予め決められた増幅器モデルを修正する（ブロック３１０）。プロセッサ２０８は次に、適応（現在の）増幅器モデルを、送信システム２００について、目標とされた、または特定の出力ＲＦ信号を得るために、入力信号をプレディストーションするために現在のモデルを用いるプレディストーション・デバイス２０２に送る（ブロック３１２）。方法３００は、ブロック３０４を続け、再度処理が繰返される。すなわち、プロセッサ２０８は、ブロック３０４、３０６、３０８につきそれぞれ、電圧Ｖｏｍｅａｓ．ｐｅａｋ、Ｖｏｍｅａｓ．ｒｍｓ、及びＶｉを再び計測し、そして次に、ブロック３１０毎にこれらの新しい計測に基づいて、以前（prior）のサイクルで生成された以前（previous）の増幅器モデルを適応する。代替的に、ブロック３１０において、プロセッサ２０８は、新しい計測に基づいてベースラインまたは予め決められた増幅器を適応し得る。再び、ブロック３１２毎にプレディストーション・モデルは、目標、または指定出力ＲＦ信号を得るために、入力ＲＦ信号を歪ませるために、適応（現在の）増幅器モデルを用いる。方法３００は、望ましい、または指定されたように、ブロック３０４〜３１２の動作を繰返し続ける。任意の上述に記載された動作は、適応増幅器モデルが、実質的に増幅器の実際の能力を反映するということを確実にするために、適切な妥当性チェックを有し得る。
【００１９】
増幅器モデル適応プロセスの詳細は、以下で議論される。下記は、単に、電力増幅器の現在の能力についてのモデルを適応するために、電力増幅器の出力から、計測ピーク及びＲＭＳ電圧を用いる増幅器モデル適応プロセスの一例であるということが理解されるべきである。増幅器モデルは、入力振幅Ｖｉｔ（ｋ）ｉ、対応する出力信号振幅Ｖｏｔ（ｋ）ｉのような、入力信号特性を表している、ルック・アップ表（look-up table）として構成され得る。ｋはルック・アップ表についてのインデックスであり、下付きの“ｉ”は、現在の適応サイクル（adaptation cycle）を表している。例えば、ｉ＝０の場合、入力及び出力振幅特性Ｖｉｔ（ｋ）０、及びＶｏｔ（ｋ）０は、ベースライン、または予め決められた増幅器モデルに関する。ｉ＝１の場合、入力及び出力振幅特性Ｖｉｔ（ｋ）１、及びＶｏｔ（ｋ）１は、第１の適応サイクルの終了（completion）の後の適応増幅器モデルに関する。任意の時間において、モデルがエラーと判定される場合、モデルは、ベースラインまたは予め決められたモデルにリセットされることができる。
【００２０】
プロセッサ２０８は、下記の式を用いて、まず以前の増幅器モデルに関する飽和電圧Ｖｏｓａｔ（ｉ−１）、及び低電力利得Ｇｌｐ（ｉ−１）を決定し得る。  
【数１】
0005456780.tif 000002
【数２】
0005456780.tif 000003
【００２１】
ｍａｘ（Ｖｏｔ（ｋ）（ｉ−１））は、以前の増幅器モデルの出力振幅特性の最大値（maximum）であり、Ｖｉｔ（２）（ｉ−１）、及びＶｏｔ（２）（ｉ−１）は、以前の増幅器モデルの入力及び出力振幅特性の第２のエントリ（second entry）（ｋ＝２）である。本例において、入力電圧が比較的小さいという理由で、第１のエントリ（（ｋ＝１））が、第１の登録に関する重大なノイズを有し得るので、第２の登録が用いられ得る。
【００２２】
次に、プロセッサ２０８は、電力増幅器２０６の入力で、電圧Ｖｉのｎ個の値を計測または推定する。プロセッサ２０８は、以前の増幅器モデルの、どの入力振幅特性Ｖｉｔ（ｋ（Ｖｉ）））（ｉ−１）が、計測または推定電圧Ｖｉｉに関するかを判定する。プロセッサ２０８は、下記の式によって、電力増幅器２０６の利得Ｇ（Ｖｉ）（ｉ−１）を推定するために、この特性を用いる。  
【数３】
0005456780.tif 000004
【００２３】
Ｖｏｔ（ｋ（Ｖｉｉ））（ｉ−１）は、入力振幅特性Ｖｉｔ（ｋ（Ｖｉｉ））（ｉ−１）に関する以前の増幅器モデルの出力振幅特性である。プロセッサ２０８は、下記の式を用いる、計測、または推定入力電圧Ｖｉｉに対応する推定出力電圧Ｖｏｉ．ｅｓｔを判定し得る。  
【数４】
0005456780.tif 000005
【００２４】
プロセッサ２０８はまた、下記の式を用いて、推定出力電圧Ｖｏ１．ｅｓｔから、推定ＲＭＳ出力電圧Ｖｏｉ．ｅｓｔ．ｒｍｓを判定し得る。
【数５】
0005456780.tif 000006
【００２５】
ｎは、指定フレーム（specified frame）についての電力増幅器の入力において、電圧Ｖｉｉから取得されたサンプルの数である。プロセッサ２０８は、更に、下記の式を用いることで、推定出力ピーク電圧Ｖｏｉ．ｅｓｔ．ｐｅａｋを判定する。
【数６】
0005456780.tif 000007
【００２６】
｛Ｖｉｉ１．．．Ｖｉｉｎ｝は、指定フレームについての入力電圧Ｖｉｉのｎ個の値のセットである。
【００２７】
プロセッサ２０８は、電力増幅器２０６の出力の電流ピーク電圧Ｖｏｉ．ｍｅａｓ．ｐｅａｋ、及び電流ＲＭＳ電圧Ｖｏｉ．ｍｅａｓ．ｐｅａｋを計測または推定する。計測ＲＭＳ電圧を用いることで、プロセッサ２０８は、下記の式を用いて電力増幅器２０６の現在の低電力利得Ｇｌｐｉを判定し得る。  
【数７】
0005456780.tif 000008
【００２８】
プロセッサ２０８はまた、下記の式を用いて、現在の飽和電圧Ｖｏｓａｔｉを決定し得る。
【数８】
0005456780.tif 000009
【００２９】
プロセッサ２０８は、下記の式を用いて、適応増幅器モデルの入力振幅特性Ｖｉｔ（ｋ）ｉを決定し得る。  
【数９】
0005456780.tif 000010
【００３０】
プロセッサ２０８はまた、下記の式を用いて、適応増幅器モデルの出力振幅特性Ｖｏｔ（ｋ）ｉを決定し得る。  
【数１０】
0005456780.tif 000011
【００３１】
そして、前に議論したように、電力増幅器２０６の出力において、目標、または指定出力信号を得るために、送信システム２００への入力ＲＦ信号をプレディストーションするために、適応（現在の）増幅器モデルＶｉｔ（ｋ）ｉ及びＶｏｔ（ｋ）ｉは、プレディストーション・デバイス２０２によって用いられ得る。このプロセスは、その電流能力をより良く反映するために、増幅器モデルを適応することを連続的に繰り返され得る。
【００３２】
図３Ｂは、本開示の他の例示的な実施形態に従って、現在の増幅器モデルの現在の低電力利得Ｇｌｐｉを決定する例示的な方法３２０のフロー・ダイアグラムを示している。前に議論したように、方法３２０は、現在の増幅器モデルを生成するプロセスにおいて実行される多数の動作の一つであり得る。方法３２０は、特定の順序及びステップに関連して記載されているとはいえ、実質的に同じ結果を得るために、任意の特定の順序、及びステップにおいてその方法は実施され得るということが理解されるべきである。
【００３３】
具体的には、方法３２０に従って、以前の増幅器モデルを決定する、以前の繰返し（previous iteration）に関する低電力利得Ｇｌｐ（ｉ−１）は、積（product）を生成するために、増幅器の出力信号の計測ＲＭＳ電圧Ｖｏｉ．ｍｅａｓ．ｒｍｓによって掛けられる（multiplied）（ブロック３２２）。次に、方法３２０に従って、ブロック３２２に従って生成される積は、現在の低電力利得Ｇｌｐｉを生成するために、増幅器の出力信号の推定（estimate）ＲＭＳ電圧Ｖｏｉ．ｅｓｔ．ｒｍｓによって割られる（divided）（ブロック３２４）。
【００３４】
図３Ｃは、本開示の他の例示的な実施形態に従って、現在の増幅器モデルの現在の飽和電圧Ｖｏｓａｔｉを決定することの例示的な方法３４０のフロー・ダイアグラムを示している。前で議論したように、方法３４０は、現在の増幅器モデルを生成するプロセスにおいて実行される多数の動作の一つであり得る。方法３４０は、特定の順序及びステップに関連して記載されているとはいえ、実質的に同じ結果を得るために、任意の特定の順序、及びステップにおいてその方法は実施され得るということが理解されるべきである。
【００３５】
具体的には、方法３４０に従って、以前の増幅器モデルを決定する、以前の繰返しに関する飽和電圧Ｖｏｓａｔ（ｉ−１）は、積を生成するために、増幅器の出力信号の計測ピーク電圧Ｖｏｉ．ｍｅａｓ．ｐｅａｋによって掛けられる（ブロック３４２）。次に、方法３４０に従って、ブロック３４２に従って生成される積は、現在の飽和電圧Ｖｏｓａｔｉを生成するために、増幅器の出力信号の推定ピーク電圧Ｖｏｉ．ｅｓｔ．ｐｅａｋによって割られる（ブロック３４４）。
【００３６】
図３Ｄは、本開示の他の例示的な実施形態に従って、現在の増幅器モデルの入力振幅特性Ｖｉｔ（ｋ）ｉを決定することの例示的な方法３６０のフロー・ダイアグラムを示している。前で議論したように、方法３６０は、現在の増幅器モデルを生成するプロセスにおいて実行される多数の動作の一つであり得る。方法３６０は、特定の順序及びステップに関連して記載されているとはいえ、実質的に同じ結果を得るために、任意の特定の順序、及びステップにおいてその方法は実施され得るということが理解されるべきである。
【００３７】
具体的には、方法３６０に従って、第１の商（quotient）を生成するために、現在の増幅器モデルを決定する、現在の繰返し（present iteration）に関する飽和電圧Ｖｏｓａｔｉは、現在の増幅器モデルを決定する、現在の繰返しに関する低電力利得Ｇｌｐｉによって割られる（ブロック３６２）。次に、方法３６０に従って、第２の商を生成するために、以前の増幅器モデルを決定する、以前の繰返しに関する飽和電圧Ｖｏｓａｔ（ｉ−１）は、以前の増幅器モデルを決定する、以前の繰返しに関する低電力利得Ｇｌｐ（ｉ−１）によって割られる（ブロック３６４）。次に、方法３６０に従って、第３の商を生成するために、ブロック３６２に従って生成された第１の商は、ブロック３６４に従って生成された第２の商によって割られる（ブロック３６６）。次に、方法３６０に従って、現在の増幅器モデルの入力振幅特性Ｖｉｔ（ｋ）ｉを生成するために、ブロック３６６に従って生成された第３の商は、以前の増幅器モデルに関する入力振幅特性Ｖｉｔ（ｋ）（ｉ−１）によって掛けられる（ブロック３６８）。
【００３８】
図３Ｅは、本開示の他の例示的な実施形態に従って、現在の増幅器モデルの出力振幅特性Ｖｏｔ（ｋ）ｉを決定することの例示的な方法３８０のフロー・ダイアグラムを示している。前で議論したように、方法３８０は、現在の増幅器モデルを生成するプロセスにおいて実行される多数の動作の一つであり得る。方法３８０は、特定の順序及びステップに関連して記載されているとはいえ、実質的に同じ結果を得るために、任意の特定の順序、及びステップにおいてその方法は実施され得るということが理解されるべきである。
【００３９】
具体的には、方法３８０に従って、第１の商を生成するために、現在の増幅器モデルを決定する、現在の繰返しに関する低電力利得Ｇｌｐｉは、以前の増幅器モデルを決定する、以前の繰返しに関する低電力利得Ｇｌｐ（ｉー１）によって割られる（ブロック３８２）。次に、方法３８０に従って、第２の商を生成するために、現在の増幅器モデルを決定する、現在の繰返しに関する入力振幅特性Ｖｉｔ（ｋ）ｉは、以前の増幅器モデルを決定する、以前の繰返しに関する入力振幅特性Ｖｉｔ（ｋ）（ｉ−１）によって割られる（ブロック３８４）。次に、方法３８０に従って、積を生成するために、ブロック３８２に従って生成された第１の商は、ブロック３８４に従って生成された第２の商によって掛けられる（ブロック３８６）。次に、方法３８０に従って、現在の増幅器モデルの出力振幅特性Ｖｏｔ（ｋ）ｉを生成するために、ブロック３８６に従って生成された積は、以前の増幅器モデルに関する出力振幅特性Ｖｏｔ（ｋ）（ｉ−１）によって掛けられる（ブロック３８８）。
【００４０】
図４は、本開示の他の例示的な実施形態に従って、例示的なベースライン増幅器モデル、低電力利得がより高く調整されている例示的な適応増幅器モデル、及び低電力利得がより低く調整されている例示的な適応増幅器モデルに関する電力増幅器の例示的な利得応答のグラフを示している。グラフから分かるように、ベースライン増幅器モデルは、電力増幅器についての典型的な利得応答を描画する。それは、典型的に、最初に、本例ではおおよそ２７ｄＢである低電力利得から、本例ではおおよそ２９．３ｄＢであるピーク利得まで上昇する利得を有するとして特徴付けられる。利得における上昇は、典型的に、利得拡張領域（gain expansion region）として呼ばれる。利得拡張領域の後、利得は、電力増幅器の飽和特性が原因で、減少しはじめる。
【００４１】
もし、例えば、第１の適応サイクルにおいて、電力増幅器１０６の出力ＲＦ信号の計測ＲＭＳ電圧が、出力ＲＦ信号の推定ＲＭＳ電圧よりも大きい場合、式（７）に従って、新しい増幅器モデルの低電力利得が、ベースライン増幅器モデルの低電力利得よりも大きくなる。式（９）、（１０）に従って、より高い低電力利得の影響は、グラフによって表されるように、適応電力増幅器モデルの全体的な利得応答の上昇を引き起こす。もし、他方で、第１の適応サイクルにおいて、出力ＲＦ信号の計測ＲＭＳ電圧が、出力ＲＦ信号の推定ＲＭＳ電圧よりも低い場合、適応電力増幅器モデルの低電力利得は、ベースライン増幅器モデルの低電力利得よりも低い。より低い低電力利得の影響は、グラフによって表されるように、電力増幅器モデルの全体的な利得応答の減少を引き起こす。
【００４２】
図５は、本開示の他の例示的な実施形態に従って、例示的なベースライン増幅器モデル、飽和電圧がより高く調整されている例示的な適応増幅器モデル、及び飽和電圧がより低く調整されている例示的な適応増幅器モデルに関する例示的な電力増幅器の例示的な飽和電圧応答のグラフを示している。グラフから見えるように、電力増幅器の典型的な飽和電圧応答は、前に議論したように、利得拡張領域の例外を有する低入力電圧についての一般的な線形として特徴付けわれる。より高い入力電圧において、電力増幅器は、入力電圧に関して減少する出力電圧の傾斜を典型的に引き起こす非線形の方法で動作する。
【００４３】
もし、例えば、第１の適応サイクルにおいて、電力増幅器２０６の出力ＲＦ信号の計測ピーク電圧が、出力ＲＦ信号の推定ピーク電圧よりも大きい場合、式（８）に従って、適応増幅器モデルの飽和電圧は、ベースライン増幅器モデルの飽和電圧よりも大きい。式（９）、（１０）に従って、より高い飽和電圧の影響は、グラフに表されるように、電力増幅器モデルの飽和領域において上昇された電力を引き起こす。もし、他方で、第１の適応サイクルにおいて、出力ＲＦ信号の計測ピーク電圧が、出力ＲＦ信号の推定ピーク電圧よりも低い場合、新しい増幅器モデルの飽和電圧は、ベースライン増幅器モデルの飽和電圧よりも低い。より低い飽和電圧の影響は、グラフに表されるように、電力増幅器モデルの飽和領域において電力の減少（decreased power）を引き起こす。
【００４４】
図６Ａ〜Ｃは、本開示の他の例示的な実施形態に従って、電力増幅器、プレディストーション・デバイス、及び送信システムについての例示的な規格化出力・入力応答（normalized output-input responses）のグラフを示している。グラフのｙ軸は、規格化出力電圧を表している。値１．０は、電力増幅器の目標、または指定最大瞬間出力電圧を表す。グラフのｘ軸は、規格化入力電圧を表していおり、値１．０は、電力増幅器の目標、または指定最大瞬間出力電圧に対応する入力電圧を表す。上方のグラフ（図６Ａ）は、電力増幅器１０６の平均出力電力が、中程度な（moderate）レベルにセットされる応答例である。中央のグラフ（図６Ｂ）は、平均出力電力が比較的低いレベルにセットされる応答例である。下方のグラフ（図６Ｃ）は、平均出力電力が比較的高いレベルにセットされる応答例である。
【００４５】
これらの例において、グラフ上の実線は、送信システム２００についての目標または指定規格化出力・入力（normalized output-input）応答を表す。グラフに示すように、目標応答は、上方及び中央のグラフによって表されるように、主に線形応答であり得る。しかしながら、目標応答は、例えばクリッピングが起き得るので、実質的に線形である必要はない（図６Ｃ）ということが理解されるべきである。グラフの点線は、電力増幅器２０６についての規格化入力・出力（normalized input-output）信号応答を表している。グラフの破線は、プレディストーション・デバイス２０２の規格化入力・出力信号応答を表している。これらのグラフに図示するように、与えられた規格化入力レベルについて、プレディストーション・デバイス２０２及び電力増幅器１０６の規格化入力・出力応答は、目標応答を中心として、互いに対向して（opposite side）位置される。このような方法で、電力増幅器２０６の入力・出力応答に関するプレディストーション・デバイス２０２の入力・出力応答は、実質的に送信システム２００についての入力・出力目標応答を引き起こすだろう。図２に示すように、プレディストーション・デバイス２０２は、適応増幅器モデルのインデックスをつける、及び適切なプレディストーションを選択する目的のため、ＲＭＳ検出器２１２を介して出力ＲＦ信号の電力レベルの表示を受信する。
【００４６】
図７は、本開示の他の例示的な実施形態に従って、例示的なピーク平均電力比（peak-to-average power ratio）対、電力増幅器２０６についての入力、出力、及び目標出力についての電力のグラフを示している。ｙ軸は、対応信号（corresponding signal）のｄＢでピークＲＭＳ比（peak-to-RMS ratio）を表し、ｘ軸は、対応信号のｄＢｍで平均出力電力レベルを表す。点線は、電力増幅器２０６の修正された出力信号のピーク平均電力比と平均出力電力との間の関係を表す。破線は、電力増幅器２０６の入力信号のピーク平均電力比と平均出力電力との間の関係を表す。そして、実線は、電力増幅器２０６の理想的な、または目標出力信号についてのピーク平均電力比と電力との間の関係を表す。
【００４７】
グラフに示すように、電力増幅器２０６の補正された出力信号のピーク平均（peak-to-average）電力比値は、入力信号が飽和電力レベルに当たる（hits）まで理想的な値を追跡し（tracks）、１７ｄＢｍの電力レベルより上で徐々に減少する。これは、最大信号レベルを制限する電力増幅器２０６の飽和特性が原因である。電力増幅器２０６の圧縮効果（compression effect）を補正するために、プレディストーション・デバイス２０２は、ピーク平均電力比を上昇させるために、入力信号をプレディストーションすることによって信号頂点増加（signal crest enhancement）を実行する。これは、電力増幅器２０６への入力信号のピークＲＭＳ比の上昇によってグラフ（破線から）で見られることができる。この補正の全体の影響は、電力増幅器ピーク平均電力比（点線）の実質的に平坦な応答で図示されるように、送信システム２００の動作範囲上で、実質的にピーク平均比を一定に実質的に維持することである。それは、低い、及び中程度の電力範囲上で目標と一致（coincident）する。
【００４８】
図８Ａは、本発明の他の例示的な実施形態に従って、歪まされていないまたは本来の入力、及び対応する歪まされた出力信号例の時間ドメイン（time-domain）グラフを示している。ｙまたは縦軸は信号の振幅を表し、ｘまたは横軸は時間を表す。グラフに図示するように、破線で示される本来の入力信号は、図示するような圧縮されたピークを有し得ない。しかしながら、実線で示される出力信号は、電力増幅器の飽和領域の近くで動作された場合の電力増幅器の非線形特性が原因で、圧縮されたピークを有し得る。
【００４９】
図８Ｂは、本発明の他の例示的な実施形態に従って、プレディストーションされた入力、及び出力信号例の時間ドメイン・グラフを示している。同様に、ｙまたは縦軸は信号の振幅を表し、ｘまたは横軸は時間を表す。グラフに図示するように、実線で示される入力信号は、図示するようにそのピークを高めるために、プレディストーション・デバイスによってプレディストーションされている。その結果は、出力信号は破線で示すようになり、これは、もはや圧縮されたピークを有さない。従って、本明細書に記載の増幅器モデリング（amplifier modeling）、及びプレディストーション技術は、本グラフで示される一つのような目標出力信号を得るために用いられ得る。
【００５０】
図９は、本開示の他の例示的な実施形態に従って、アダプティブ・プレディストーション・デバイスと共に電力増幅器を含んでいる他の例示的な送信システム９００のブロック・ダイアグラムを示している。送信システム９００は、送信システム２００と同様であり、同様の参照番号（最上位の桁が、“２”の代わりに“９”であることを除いて）で示されるような多くの同じ要素を含んでいる。送信システム９００は、プロセッサ９０８が、電力増幅器９０６の出力信号の出力計測基準（ＣＣＤＦに関する）をサンプルする検出器９１０によって生成された一つまたはそれ以上の点から増幅器モデルを適応するという点で、送信システム２００とは異なっている。プロセッサ９０８は、電力増幅器９０６の出力信号の累積分布補関数（ＣＣＤＦ）を生成するために、順にこの信号を用いる。ＣＣＤＦは、出力信号の与えられたサンプルが指定ピーク平均（peak-to-average）比値を越えるという見込みを表す。
【００５１】
実質的に、ＣＣＤＦは、電力増幅器９０６の出力ＲＦ信号の電力レベルの分布を提供する。前の例示的な実施形態において、計測ピーク、及び平均電力、またはＲＭＳ電圧値は、電力増幅器の実際の能力についての増幅器モデルを適応するために用い得る。しかしながら、ピーク及びＲＭＳ値間における他の点は、更にまたは代替的に、増幅器モデルを適応するために、プロセッサ９０８によって用いられ得る。プロセッサ９０８は、分布関数に沿って、一つまたはそれ以上の点を決定し、増幅器モデルを適応するためにそれらを用いるように構成され得る。
【００５２】
図１０は、本開示の他の例示的な実施形態に従って、電力増幅器の出力信号の累積分布補関数（ＣＣＤＦ＝１−ＣＤＦ）のグラフを示している。ｙ軸は、信号電力は、ｘ軸によって指定される電力、またはそれ以上である確率（probability）またはパーセンテージ（percentage）で時間量を示す。ｘ軸は、電力増幅器の出力ＲＦ信号の信号電力を示す。ｘ軸の零（０）値は、平均電力またはＲＭＳ電圧を表し、ｘ軸と分布カーブとが交差するところは、平均電力またはＲＭＳ電圧に関するピークを示している。従って、平均電力またはピーク電圧を用いる代わりに、プロセッサ２０８は、グラフで示された三（３）つの中間点に基づいて増幅器モデルを適応し得る。
【００５３】
図１１は、本開示の他の例示的な実施形態に従って、アダプティブ・プレディストーション・デバイスと共に電力増幅器を含んでいる更に他の例示的な送信システム１１００のブロック・ダイアグラムを示している。前の例示的な実施形態において、電力増幅器の出力信号のパラメータを計測することによって、増幅器モデルを決定する、及び適応するための分離ユニット、及び目標出力信号を得るために、現在の増幅器モデルに基づいて入力信号をプレディストーションするための分離ユニットがあった。この例示的な実施形態において、目標出力信号を得るために、増幅器モデルを作成及び適応し、現在の増幅器モデルに基づいて入力をプレディストーションする機能は、例えばプレディストーション・デバイスのような単一のユニットで実行される。
【００５４】
具体的には、送信システム１１００は、プレディストーション・デバイス１１０２、電力増幅器１１０４、及び検出器１１０６を有している。プレディストーション・デバイス１１０２は、目標出力信号を得るために、現在の増幅器モデルを作成し、現在の増幅器モデルに基づいて入力信号をプレディストーションするために、検出器１１０６から信号を受信する。電力増幅器１１０４は、出力信号を生成するために、プレディストーション・デバイス１１０２からの、プレディストーションされた入力信号を増幅する。検出器１１０６は、出力信号の特定の特性を検出する。例えば、検出器１１０６は、ＲＭＳ電圧、ピーク電圧、平均電力、ピーク電力を計測し、または電力増幅器の出力信号の出力計測基準（ＣＣＤＦに関する）をサンプルする検出器であり得る。前に議論したように、検出器１１０６は、電力増幅器１１０４の現在の増幅器モデルを作成し、現在の増幅器モデルに従って入力信号をプレディストーションするために、計測、または検出（detected）信号をプレディストーション・デバイス１１０２に提供する。
【００５５】
図１２は、本開示の他の例示的な実施形態に従って、アダプティブ・プレディストーション・デバイスと共に電力増幅器を含んでいるそのまた更に他のブロック・ダイアグラムを示している。前の例示的な実施形態は、現在の増幅器モデルを作成し、現在の増幅器モデルに基づいて入力信号をプレディストーションするために、電力増幅器の出力からのフィードバックに依存している一般的な閉ループの例示的な実施形態であった。この例示的な実施形態において、送信システム１２００は、基本的に、温度、電源電圧Ｖｃｃ、及び処理される信号の周波数のような環境の種々の入力に基づいて開ループ増幅器モデルを適応している。送信システム１２００は、管理において（in check）、現在の増幅器モデルを保つために、比較的稀に、電力増幅器１２１０の出力をサンプルし得る。
【００５６】
具体的には、送信システム１２００は、プレディストーション・デバイス１２０２、ＤＡＣ１２０４、ＡＧＣ１２０６、ミキサ１２０８、電力増幅器１２１０、及びプロセッサ１２１２を有している。プレディストーション・デバイス１２０２は、電力増幅器１２１０の出力で、目標信号を得るために、プロセッサ１２１２によって生成される現在の増幅器モデルＭに基づいてＩＦまたはベースバンド入力信号のような入力信号をプレディストーションする。プレディストーション・デバイス１２０２はまた、電力増幅器１２１０の出力信号の電力を制御する目的のためにＡＧＣ１２０６を制御し得る。入力信号がデジタルである場合、ＤＡＣ１２０４は、プレディストーション・デバイス１２０２によって生成されたプレディストーションされたデジタル信号をアナログ信号に変換する。ＡＧＣ１２０６は、ＤＡＣ１２０４がプレディストーション・デバイス１２０２から受信する信号に従って、ＤＡＣ１２０４からのアナログ信号の電力レベルを調整し得る。入力信号が、ＩＦまたはベースバンド信号である場合、ミキサ１２０８は、入力アナログ信号を入力ＲＦ信号にアップ・コンバートする。電力増幅器１２１０は、出力ＲＦ信号を生成するために入力ＲＦ信号を増幅する。
【００５７】
プロセッサ１２１２は、送信システム１２００の目標出力信号を得る目的で、入力信号をプレディストーションするために、プレディストーション・デバイス１２０２による使用のための増幅器モデルＭを作成及び適応する。この例において、プロセッサ１２１２は、温度、電源供給電圧Ｖｃｃ、処理される信号の周波数、及び他の入力のような環境状況（environmental condition）を考慮する電力増幅器１２１０の能力を正確にモデルし得るベースライン増幅器モデルを最初に用いる。プロセッサ１２１２は、現在の増幅器モデルＭを作成するために、温度、Ｖｃｃ、及び周波数のような現在の環境についての情報を受信し、これらの入力に基づいてベースライン増幅器モデルを補正する。プロセッサ１２１２は、続いて、環境状況に基づいて、現在の増幅器モデルＭをアップデートする。
【００５８】
これは本質的に、目標出力信号を得るために入力信号をプレディストーションする目的のための現在の増幅器モデルを作成することについての開ループ・アプローチである。しかしながら、電力増幅器１２１０の出力信号のサンプルは、現在の増幅器モデルが予め決められた規格の範囲内で正確であるということを確実にする目的のため、プロセッサ１２１２に提供され得る。プロセッサ１２１２が、現在の増幅器モデルが規格毎に正確ではないということを判定した場合は、プロセッサ１２１２は、モデルの制度を改良するために、サンプルされた出力信号に基づいて、現在の増幅器モデルを補正し得る。前に議論したように、プロセッサ１２１２は、現在の増幅器モデルを作成する及び適応することにおいて、主用な要素として環境状態情報（例えば、温度、Ｖｃｃ、及び周波数）を用い、必要に応じて、管理及び修正として、電力増幅器１２１０からサンプルされた出力信号を用い得る。従って、電力増幅器１２１０の出力のサンプリングは、閉ループ構成において頻繁に必要ではない。
【００５９】
増幅器モデルを作成する、及び増幅器モデルに基づいて入力信号をプレディストーションする目的のため、電力増幅器出力の情報供給の一般的なレートに関しては、前に議論した例示的な実施形態に従って、それは、任意のレートで行われることができる。例えば、レートは、大きさが２００ＧＨｚであるかもしれないＲＦ出力信号の変調レートであり得る。代替的に、レートは、エンベロープ（envelope）レート（例えば、変調バンド幅）であり得る。代替的に、レートは、変調レート及びスケジューラに依存し得る電力制御レートであり得る。代替的に、レートは、温度、電源電圧Ｖｃｃ、及び信号の周波数のような動作環境パラメータの変化に基づき得るモデル発展（model evolution）レートであり得る。モデル発展レートは、必要に応じてアップデートされ、電力制御レートと同等またはより速いことがある。
【００６０】
上で議論された送信システム２００、９００、１１００、及び１２００の要素は、デジタル・ドメイン、アナログ・ドメイン、またはデジタル及びアナログ・ドメインの組み合わせで実施され得るということが理解されるべきである。システム２００、９００、１１０、及び１２００は、上で議論したような、それの意図された機能を実行するために、更に、特定用途ハードウェア、プログラマブル・ハードウェア、一つまたはそれ以上のソフトウェア・モジュールの制御下で動作するプロセッサ、またはそれらの任意の組み合わせを使用し得る。
【００６１】
当業者は、情報及び信号は、種々のテクノロジー及び技術の多様性のいくつかを用いることで、表され得るということを理解するだろう。例えば、上の記載を通して言及され得る、データ、命令、コマンド、情報、信号、ビット、シンボル、及びチップは、電圧、電流、電磁波、磁場または磁粒、光学場または光子、またはこれらのあらゆる組み合わせにより表され得る。
【００６２】
当業者は更に、本明細書で開示された実施形態に関連して述べられた種々の例示的な論理ブロック、モジュール、回路、及びアルゴリズム・ステップが、電子的なハードウェア、コンピュータソフトウェア、またはこの組み合わせが実施され得るということを、正しく理解するだろう。ハードウェア、及びソフトウェアのこの互換性を明確に例示するために、様々な例示的な要素部品、ブロック、モジュール、回路、及びステップは、一般的にそれらの機能に関して上で述べられてきた。そのような機能がハードウェアまたはソフトウェアとして実施されるか否かは、特定のアプリケーション及びシステム全体に課せられた設計制限に依存する。当業者は、記述した機能を特定の各アプリケーションのために様々な方法で実施し得るが、そのような実施の決定は、本発明の例示的な実施形態の範囲から逸脱するものと解釈されるべきではない。
【００６３】
本明細書で開示された実施形態に関連して述べた様々な例示の論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）、またはプログラマブル論理デバイス、ディスクリート・ゲートまたはトランジスタ論理、ディスクリート・ハードウェア部品、または、本明細書で述べた機能を実行するように設計されたこれらの組み合わせによって実施され、または実行され得る。汎用プロセッサは、マイクロプロセッサであって良いが、これに代わるものでは、プロセッサは任意の従来のプロセッサ、コントローラ、マイクロコントローラ、またはステート・マシンであり得る。プロセッサはまた、計算デバイスの組み合わせ、例えば、ＤＳＰとマイクロプロセッサの組み合わせ、複数のマイクロプロセッサ、ＤＳＰコアと連係した一つまたはそれ以上のマイクロプロセッサ、または他の任意のそのような構成として実装され得る。
【００６４】
本明細書に開示された実施形態に関連して述べた方法またはアルゴリズムのステップは、直接、ハードウェアにおいて、プロセッサによって実行されるソフトウェア・モジュールにおいて、またはその二つの組み合わせにおいて具体化され得る。ソフトウェア・モジュールは、ランダム・アクセス・メモリ（ＲＡＭ）、フラッシュ・メモリ、読み出し専用メモリ（ＲＯＭ）、消去及び書き込み可能な読み出し専用メモリ（ＥＰＲＯＭ）、電気的に消去及び書き込み可能な読み出し専用メモリ（ＥＥＰＲＯＭ）、レジスタ、ハード・ディスク、リムーバル・ディスク、ＣＤ−ＲＯＭ、または当技術分野で既知である他の形のあらゆる記憶媒体に存在し得る。例となる記憶媒体は、記憶媒体から情報を読み取ることができ、記憶媒体に情報を書き込むことができるようなプロセッサに結合されることができる。代替的に、記憶媒体は、プロセッサに不可欠であり得る。プロセッサと記憶媒体はＡＳＩＣ内にあっても良い。このＡＳＩＣはユーザー装置内にあっても良い。あるいは、プロセッサと記憶媒体は、ディスクリート部品としてユーザー装置内にあっても良い。
【００６５】
一つまたはそれ以上の実施形態例において、述べた機能は、ハードウェア、ソフトウェア、ファームウェア、またはこれらの任意の組み合わせ内に実装され得る。ソフトウェアに実装された場合、コンピュータ読み取り可能な媒体に、記憶され、または、一つまたはそれ以上の命令またはコードとして送信され得る。コンピュータ読み取り可能な媒体は、一箇所から他の場所へのコンピュータ・プログラムの転送を促進する任意のメディアを含んでいるコンピュータ記憶メディア及び通信メディアを含む。記憶媒体は、コンピュータによってアクセスされることができる任意の入手可能な媒体であり得る。例のため、そして例に限らず、そのようなコンピュータ読み取り可能な媒体は、ＲＡＭ、ＲＯＭ、ＥＥＰＲＯＭ、ＣＤ−ＲＯＭまたは他の光学ディスク記憶、磁気ディスク記憶、または他の磁気記憶デバイス、または、命令またはデータ構造の形態において、望ましいプログラム・コードを運び、記憶することができ、コンピュータによってアクセスされることができる任意の他の媒体を備えることができる。また、任意のつながりは、適切にコンピュータ読み取りメディアと称される。例えば、ソフトウェアが、ウェブサイト、サーバー、または、同軸ケーブル、光ファイバ・ケーブル、ツイスト・ペア、デジタル加入者線（ＤＳＬ）、または赤外線、無線、及びマイクロ波のようなワイヤレス技術を用いる他の遠隔ソース、から送信される場合、同軸ケーブル、光ファイバ・ケーブル、ツイスト・ペア、ＤＳＬ、または赤外線、無線、及びマイクロ波のようなワイヤレス技術は、媒体の定義に含まれる。本明細書に用いたように、ディスク（disk）及びディスク（disc）は、コンパクトディスク（ＣＤ）、レーザーディスク（登録商標）、光学ディスク、デジタル多用途ディスク（ＤＶＤ）、フロッピー（登録商標）ディスク、及びブルーレイ（登録商標）ディスク、を含み、ディスク（disk）は大抵磁気的にデータを再生し、ディスク（disc）は光学的またはレーザーでデータを再生する。上の組み合わせは、また、コンピュータ読み取り可能なメディアの範囲の中に含まれるべきである。
【００６６】
開示された実施形態例のこれまでの記載は、当業者が本発明を行う、または用いることを可能にするために提供される。これらの例示的な実施形態の種々の変形は、当業者に直ちに理解され、本明細書で定義された一般的な原理は、本発明のスピリットや範囲から逸脱しない他の実施形態に適用され得る。従って、本発明は、本明細書でしめされた実施形態に限定されることは意図されず、開示された本明細書の原理及び新規性のある特徴に一致する広い範囲は認められる。
以下に、出願当初明細書に添付した特許請求項の範囲を付記する。
１．システムであって、
増幅器と、
前記システムの計測基準（metric）を計測するためのデバイスと、
前記システムの計測基準に基づいて、前記増幅器の入力・出力信号特性の現在の（present）モデルを生成するためのプロセッサと、
前記現在の増幅器モデルに基づいて、前記増幅器の入力信号をプレディストーションする（predistort）ためのプレディストーション（predistortion）デバイスと、
を備えるシステム。
２．前記計測基準を計測するデバイスは、前記増幅器の出力信号の平均電力または二乗平均平方根（ＲＭＳ：root mean square）電圧を計測する検出器を備えてい１のシステム。
３．前記計測基準を計測するデバイスは、前記増幅器の出力信号のピーク電力またはピーク電圧を計測する検出器を備えている１のシステム。
４．前記計測基準を計測するデバイスは、前記増幅器の出力信号のＣＣＤＦに関係する出力計測基準のサンプルを提供する検出器を備えている１のシステム。
５．前記計測基準は、環境温度、前記増幅器の電源電圧、または前記増幅器によって処理される信号の周波数を含む１のシステム。
６．前記プロセッサは、前記増幅器の前記入力・出力信号特性のベースライン、または予め決められたモデルに基づいて、前記現在のモデルを生成する１のシステム。
７．前記プロセッサは、前記増幅器の前記入力・出力信号特性の以前の（previous）モデルに基づいて、前記現在のモデルを生成する１のシステム。
８．前記プレディストーション・デバイスは、前記増幅器について、目標（target）または指定（specified）出力信号を得るために、前記入力信号をプレディストーションする１のシステム。
９．前記プレディストーション・デバイスは、前記増幅器の出力信号の歪みを減らすために、前記入力信号をプレディストーションする１のシステム。
１０．前記プレディストーション・デバイスは、更に、前記増幅器の出力信号の平均電力またはＲＭＳ電圧に基づいて、前記入力信号をプレディストーションする１のシステム。
１１．前記プロセッサは、前記増幅器への入力電圧の計測（measurement）または推定（estimate）に基づいて、前記現在のモデルを生成する１のシステム。
１２．前記プロセッサは、前記システムの計測基準に基づいて、前記増幅器の前記入力・出力信号特性の以前のモデルを修正することによって、前記現在のモデルを生成する１のシステム。
１３．前記プロセッサは、下記の式を実質的に用いて前記増幅器の現在の低電力利得Ｇｌｐｉを決定し、
【数１１】
0005456780.tif 000012
ここでｉは前記現在の増幅器モデルを決定する現在の繰返し（iteration）であり、Ｇｌｐ（ｉ−１）は以前の増幅器モデルを決定する、以前の繰返しに関する低電力利得であり、Ｖｏｉ．ｍｅａｓ．ｒｍｓは、前記増幅器の出力信号の計測ＲＭＳ電圧（measured RMS voltage）であり、Ｖｏｉ．ｅｓｔ．ｒｍｓは、前記増幅器の前記出力信号の推定ＲＭＳ電圧（estimate RMS voltage）である
１のシステム。
１４．前記プロセッサは、下記の式を実質的に用いて前記増幅器の現在の飽和電圧Ｖｏｓａｔｉを決定し、
【数１２】
0005456780.tif 000013
ここでｉは前記現在の増幅器モデルを決定する現在の繰返しであり、Ｖｏｓａｔ（ｉ−１）は以前の増幅器モデルを決定する、以前の繰返しに関する飽和（saturated）電圧であり、Ｖｏｉ．ｍｅａｓ．ｐｅａｋは、前記増幅器の出力信号の計測ピーク電圧であり、Ｖｏｉ．ｅｓｔ．ｐｅａｋは、前記増幅器の前記出力信号の推定ピーク電圧である
１のシステム。
１５．前記プロセッサは、下記の式を実質的に用いて前記現在の増幅器モデルの入力振幅特性Ｖｉｔ（ｋ）ｉを決定し、
【数１３】
0005456780.tif 000014
ここでｉは前記現在の増幅器モデルを決定する現在の繰返しであり、Ｖｉｔ（ｋ）（ｉ−１）は以前の増幅器モデルに関する入力振幅特性であり、Ｖｏｓａｔｉは、前記現在の増幅器モデルを決定する前記現在の繰返しに関する飽和（saturated）であり、Ｖｏｓａｔ（ｉ−１）は、以前の増幅器モデルを決定する、以前の繰返しに関する飽和電圧であり、Ｇｌｐｉは前記現在の増幅器モデルを決定する前記現在の繰返しに関する低電力利得であり、Ｇｌｐ（ｉ−１）は前記以前の増幅器モデルを決定する前記以前の繰返しに関する低電力利得である
１のシステム。
１６．前記プロセッサは、式を実質的に用いて前記現在の増幅器モデルの出力振幅特性Ｖｏｔ（ｋ）ｉを決定し、
【数１４】
0005456780.tif 000015
ここでｉは前記現在の増幅器モデルを決定する現在の繰返しであり、Ｖｏｔ（ｋ）（ｉ−１）は以前の増幅器モデルに関する出力振幅特性であり、Ｖｉｔ（ｋ）ｉは前記現在の増幅器モデルを決定する前記現在の繰返しに関する入力振幅特性であり、Ｖｉｔ（ｋ）（ｉ−１）は前記以前の増幅器モデルを決定する、前記以前の繰返しに関する入力振幅特性であり、Ｇｌｐｉは前記現在の増幅器モデルを決定する前記現在の繰返しに関する低電力利得であり、Ｇｌｐ（ｉ−１）は前記以前の増幅器モデルを決定する、前記以前の繰返しに関する低電力利得である
１のシステム。
１７．前記プロセッサは、前記増幅器の出力信号の確率分布関数（probability distribution function）の一つまたはそれ以上の点を決定する１のシステム。
１８．前記確率分布関数は、累積分布補関数（complimentary cumulative distribution function：ＣＣＤＦ）を備えている１７のシステム。
１９．増幅器を備えているシステムの計測基準（metric）を計測することと、
前記システムの計測基準に基づいて、前記増幅器の入力・出力信号特性の現在の増幅器モデルを生成することと、
前記現在の増幅器モデルに基づいて、前記増幅器の入力信号をプレディストーションすることと（predistorting）、
を備える方法。
２０．前記システムの計測基準は、前記増幅器の出力信号の平均電力または二乗平均平方根（ＲＭＳ）電圧を備えている１９の方法。
２１．前記システムの計測基準は、前記増幅器の出力信号のピーク電力またはピーク電圧を備えている１９の方法。
２２．前記システムの計測基準は、前記増幅器の出力信号の複数のサンプルを備えている１９の方法。
２３．前記システムの計測基準は、環境温度、前記増幅器の電源電圧、または前記増幅器によって処理される信号の周波数を備えている１９の方法。
２４．前記現在の増幅器モデルは、前記増幅器の前記入力・出力信号特性のベースラインまたは予め決められたモデルに基づく１９の方法。
２５．前記現在の増幅器モデルは、前記増幅器の前記入力・出力信号特性の以前のモデルに基づく１９の方法。
２６．前記入力信号をプレディストーションすることは、前記増幅器の目標または指定出力信号を得るために、前記入力信号をプレディストーションすることを備える１９の方法。
２７．前記入力信号をプレディストーションすることは、前記出力信号の歪みを減らすために、前記入力信号をプレディストーションさすることを備える１９の方法。
２８．前記入力信号をプレディストーションすることは、前記増幅器の出力信号の前記平均電力またはＲＭＳ電圧の計測に基づいて、前記入力信号をプレディストーションすることを備える１９の方法。
２９．前記現在のモデルを生成することは、更に、前記増幅器への入力電圧の計測または推定に基づく１９の方法。
３０．前記現在のモデルを生成することは、前記システムの計測基準に基づいて、以前の増幅器モデルの入力・出力信号特性を修正することを備える１９の方法。
３１．前記現在の増幅器モデルを生成することは、
積を生成するために、以前の増幅器モデルを決定する、以前の繰返しに関する低電力利得Ｇｌｐ（ｉ−１）を、前記増幅器の出力信号の計測ＲＭＳ電圧Ｖｏｉ．ｍｅａｓ．ｒｍｓで掛けることと、
前記積を、前記増幅器の前記出力信号の推定ＲＭＳ電圧Ｖｏｉ．ｅｓｔ．ｒｍｓで割ることと、
によって前記増幅器の現在の低電力利得Ｇｌｐｉを決定することを備える１９の方法。
３２．前記現在の増幅器モデルを生成することは、
積を生成するために、以前の増幅器モデルを決定する、以前の繰返しに関する飽和電圧Ｖｏｓａｔ（ｉ−１）を、前記増幅器の出力信号の計測ピーク電圧Ｖｏｉ．ｍｅａｓ．ｐｅａｋで掛けることと、
前記積を、前記増幅器の前記出力信号の推定ピーク電圧Ｖｏｉ．ｅｓｔ．ｐｅａｋで割ることと、
によって前記増幅器の現在の飽和電圧Ｖｏｓａｔｉを決定することを備える１９の方法。
３３．前記現在の増幅器モデルを生成することは、
第１の商を生成するために、前記現在の増幅器モデルを決定する現在の繰返しに関する飽和電圧Ｖｏｓａｔｉを、前記現在の増幅器モデルを決定する前記現在の繰返しに関する低電力利得Ｇｌｐｉで割ることと、
第２の商を生成するために、以前の増幅器モデルを決定する、以前の繰返しに関する飽和電圧Ｖｏｓａｔ（ｉ−１）を、前記以前の増幅器モデルを決定する、前記以前の繰返しに関する低電力利得Ｇｌｐ（ｉ−１）で、割ることと、
第３の商を生成するために、前記第１の商を、前記第２の商で割ることと、
前記第３の商を、前記以前の増幅器モデルに関する入力振幅特性Ｖｉｔ（ｋ）（ｉ−１）で掛けることと、
によって前記現在の増幅器モデルの入力振幅特性Ｖｉｔ（ｋ）ｉを決定することを備える１９の方法。
３４．前記現在の増幅器モデルを生成することは、
第１の商を生成するために、前記現在の増幅器モデルを決定する現在の繰返しに関する低電力利得Ｇｌｐｉを、以前の増幅器モデルを決定する、以前の繰返しに関する低電力利得Ｇｉｐ（ｉ−１）で割ることと、
第２の商を生成するために、前記現在の増幅器モデルを決定する前記現在の繰返しに関する入力振幅特性Ｖｉｔ（ｋ）ｉを、前記以前の増幅器モデルを決定する前記以前の繰返しに関する入力振幅特性Ｖｉｔ（ｋ）（ｉ−１）で割ることと
積を生成するために、前記第１の商を、前記第２の商で掛けることと、
前記積を、前記以前の増幅器モデルに関する出力振幅特性Ｖｏｔ（ｋ）（ｉ−１）で掛けることと
によって前記現在の増幅器モデルの出力振幅特性Ｖｏｔ（ｋ）ｉを決定することを備える１９の方法。
３５．前記現在の増幅器モデルを生成することは、前記増幅器の出力信号の確率分布関数の一つまたはそれ以上の点を決定することを備える１９の方法。
３６．前記確率分布関数は、累積分布補関数（complimentary cumulative distribution function：ＣＣＤＦ）を備えている３５の方法。
３７．増幅器を備えているシステムの計測基準を計測する手段と、
前記システムの計測基準に基づいて、前記増幅器の入力・出力信号特性の現在の増幅器モデルを生成する手段と、
前記現在の増幅器モデルに基づいて、前記増幅器の前記入力信号をプレディストーションする手段と、
を備える装置。
３８．前記計測基準計測手段は、前記増幅器の出力の平均電力または二乗平均平方根（ＲＭＳ）電圧を計測する検出器を備える３７の装置。
３９．前記計測基準計測手段は、前記増幅器の出力信号のピーク電力またはピーク電圧を計測する検出器を備える３７の装置。
４０．前記計測基準計測手段は、前記増幅器の出力信号のＣＣＤＦに関する出力計測基準のサンプルを提供する検出器を備える３７の装置。
４１．前記計測基準は、環境温度、前記増幅器の電源電圧、または前記増幅器によって処理される信号の周波数を備えている３７の装置。
４２．前記現在の増幅器モデルは、前記増幅器の前記入力・出力信号特性のベースライン、または予め決められたモデルに基づく３７の装置。
４３．前記現在の増幅器モデルは、前記増幅器の前記入力・出力信号特性の以前のモデルに基づく３７の装置。
４４．前記プレディストーションする手段は、前記増幅器の目標または指定出力信号を得るために、前記入力信号をプレディストーションする３７の装置。
４５．前記プレディストーションする手段は、前記増幅器の出力信号の歪みを減らすために、前記入力信号をプレディストーションする３７の装置。
４６．前記プレディストーションする手段は、前記増幅器の出力信号の前記平均電力またはＲＭＳ電圧の計測に基づいて、前記入力信号をプレディストーションする３７の装置。
４７．前記現在のモデルを生成する手段は、前記増幅器への入力電圧の計測または推定に基づいて、前記増幅器の前記入力・出力信号特性の前記現在のモデルを生成する３７の装置。
４８．前記現在のモデルを生成する手段は、前記システムの計測基準に基づいて以前のモデルの入力・出力信号特性を修正することによって、前記現在のモデルを生成する３７の装置。
４９．前記現在のモデルを生成する手段は、下記の式を実質的に用いて前記増幅器の現在の低電力利得Ｇｌｐｉを決定し、
【数１５】
0005456780.tif 000016
ここでｉは前記現在の増幅器モデルを決定する現在の繰返しであり、Ｇｌｐ（ｉ−１）は以前の増幅器モデルを決定する以前の繰返しに関する低電力利得であり、Ｖｏｉ．ｍｅａｓ．ｒｍｓは、前記増幅器の出力信号の計測ＲＭＳ電圧であり、Ｖｏｉ．ｅｓｔ．ｒｍｓは、前記増幅器の前記出力信号の推定ＲＭＳ電圧である
３７の装置。
５０．前記現在のモデルを生成する手段は、下記の式を実質的に用いて前記増幅器の現在の飽和電圧Ｖｏｓａｔｉを決定し、
【数１６】
0005456780.tif 000017
ここでｉは前記現在の増幅器モデルを決定する現在の繰返しであり、Ｖｏｓａｔ（ｉ−１）は以前の増幅器モデルを決定する、以前の繰返しに関する飽和電圧であり、Ｖｏｉ．ｍｅａｓ．ｐｅａｋは、前記増幅器の出力信号の計測ピーク電圧であり、Ｖｏｉ．ｅｓｔ．ｐｅａｋは、前記増幅器の前記出力信号の推定ピーク電圧である
３７の装置。
５１．前記現在のモデルを生成する手段は、下記の式を実質的に用いて前記現在の増幅器モデルの入力振幅特性Ｖｉｔ（ｋ）ｉを決定し、
【数１７】
0005456780.tif 000018
ここでｉは前記現在の増幅器モデルを決定する現在の繰返しであり、Ｖｉｔ（ｋ）（ｉ−１）は以前の増幅器モデルに関する入力振幅特性であり、Ｖｏｓａｔｉは、前記現在の増幅器モデルを決定する前記現在の繰返しに関する飽和であり、Ｖｏｓａｔ（ｉ−１）は、以前の増幅器モデルを決定する、以前の繰返しに関する飽和電圧であり、Ｇｌｐｉは前記現在の増幅器モデルを決定する前記現在の繰返しに関する低電力利得であり、Ｇｌｐ（ｉ−１）は前記以前の増幅器モデルを決定する前記以前の繰返しに関する低電力利得である
３７の装置。
５２．前記現在のモデルを生成する手段は、下記の式を実質的に用いて前記現在の増幅器モデルの出力振幅特性Ｖｏｔ（ｋ）ｉを決定し、
【数１８】
0005456780.tif 000019
ここでｉは前記現在の増幅器モデルを決定する現在の繰返しであり、Ｖｏｔ（ｋ）（ｉ−１）は以前の増幅器モデルに関する出力振幅特性であり、Ｖｉｔ（ｋ）ｉは前記現在の増幅器モデルを決定する前記現在の繰返しに関する入力振幅特性であり、Ｖｉｔ（ｋ）（ｉ−１）は前記以前の増幅器モデルを決定する前記以前の繰返しに関する入力振幅特性であり、Ｇｌｐｉは前記現在の増幅器モデルを決定する前記現在の繰返しに関する低電力利得であり、Ｇｌｐ（ｉ−１）は前記以前の増幅器モデルを決定する前記以前の繰返しに関する低電力利得である
３７の装置。
５３．前記現在のモデルを生成する手段は、前記増幅器の出力信号の確率分布関数の一つまたはそれ以上の点を決定する３７の装置。
５４．前記確率分布関数は、累積分布補関数（complimentary cumulative distribution function：ＣＣＤＦ）を備えている５３の装置。
５５．コンピュータに、増幅器を備えるシステムの計測基準を計測させるコードと、
コンピュータに、前記計測基準に基づいて前記増幅器の入力・出力信号特性の現在のモデルを生成させるコードと、
コンピュータに、前記現在の増幅器モデルに基づいて、前記増幅器の入力信号をプレディストーションするコードと、
を備えるコンピュータ読み取り可能な媒体を備えるコンピュータ・プログラム製品。
【図１】
0005456780.tif 000028
【図２】
0005456780.tif 000029
【図３Ａ】
0005456780.tif 000030
【図３Ｂ】
0005456780.tif 000031
【図３Ｃ】
0005456780.tif 000032
【図３Ｄ】
0005456780.tif 000033
【図３Ｅ】
0005456780.tif 000034
【図４】
0005456780.tif 000035
【図５】
0005456780.tif 000036
【図６Ａ】
0005456780.tif 000037
【図６Ｂ】
0005456780.tif 000038
【図６Ｃ】
0005456780.tif 000039
【図７】
0005456780.tif 000040
【図８Ａ】
0005456780.tif 000041
【図８Ｂ】
0005456780.tif 000042
【図９】
0005456780.tif 000043
【図１０】
0005456780.tif 000044
【図１１】
0005456780.tif 000045
【図１２】
0005456780.tif 000046